(57)【特許請求の範囲】
【請求項１】
互いに異なるＮ種類の波長の多重光信号をＭ本の光ファイバを介してそれぞれ入力され、各多重光信号についてＮ個の光信号に波長分離するＭ個の波長分離部と、該各波長分離部にて波長分離されたＮ個の光信号のそれぞれを電気信号に変換した後に所望の光波長で変調することにより光再生中継を行なうＭ組の光再生中継部と、該各光再生中継部にて光再生中継されたＭ組の光信号について相互に詰め替えを行なう詰替部と、該詰替部にて詰め替えられたＭ組の光信号について集束する集束部と、該Ｍ組の光再生中継部において変調すべき所望の波長を有する入力光を供給する光源装置とをそなえてなる光クロスコネクト装置であって、
該光源装置が、
上記Ｎ種類の光波長の光を出力しうるＮ個の光源と、該Ｎ個の光源からの光を合波することによりＮ種類の光波長成分を有する合波光を生成するとともに、上記合波光についてＭ×Ｎ個に分岐したものを合波分配光として出力する合波分岐部と、該合波分岐部にて分岐されたＭ×Ｎ個の合波分配光のうちでＮ個の合波分配光を分配入力され上記Ｎ種類の光波長のうちの任意の波長のみが通過された光をＮ個出力しうるＭ組の波長フィルタ部と、該各波長フィルタ部にて通過すべき光波長を互いに異なるように設定する波長設定制御部とをそなえ、該Ｍ組の波長フィルタ部からの各々Ｎ個の光を、上記入力光として供給するように構成されたことを特徴とする、光クロスコネクト装置。
【請求項２】
該合波分岐部が、該Ｎ個の光源からの光を合波する合波カプラ部と、該合波部から出力された合波光についてＭ×Ｎ個に分岐する分岐カプラ部とをそなえて構成されたことを特徴とする、請求項１記載の光クロスコネクト装置。
【請求項３】
該光源装置が、上記Ｎ個の光源のいずれかが故障した場合に当該故障した光源と同一の波長の光を出力しうる予備光源部をそなえて構成されたことを特徴とする、請求項１記載の光クロスコネクト装置。
【請求項４】
該各光再生中継部が、該各波長分離部にて波長分離されたＮ個の光信号のそれぞれを電気信号に変換するＮ個の光電変換部と、該Ｎ個の光電変換部からの電気信号に基づき上記入力光を変調して該詰替部に出力するＮ個の変調部とをそなえて構成されたことを特徴とする、請求項１記載の光クロスコネクト装置。
【請求項５】
上記の各光再生中継部が、該Ｎ個の変調部のうちのいずれかが故障した場合に、当該変調部による光中継再生系を断状態とするＮ個のゲートスイッチをそなえるとともに、当該故障した変調部による光中継再生系と同一の変調を行ないうる予備光再生中継部をそなえて構成されたことを特徴とする、請求項４記載の光クロスコネクト装置。
【請求項６】
該Ｎ個の光源が、Ｎ個の半導体レーザかまたはアレーレーザにより構成されたことを特徴とする、請求項１記載の光クロスコネクト装置。
【請求項７】
該合波分岐部から出力された合波分配光に基づいて、該各光源から出力される光の波長を安定化する波長安定化部をそなえて構成されたことを特徴とする、請求項１記載の光クロスコネクト装置。
【請求項８】
伝送用光ファイバを介して伝送される互いに異なるＮ種類の波長の多重光信号について、上記多重光信号を構成するＮ種類の波長のうちの任意のＰ種類の波長の光信号を分波する分波部と、該分波部にて分波された波長に対応するＰ′種類の波長を有する伝送用光信号を上記伝送用光ファイバに挿入する挿入部をそなえてなる光挿入分岐装置であって、
該挿入部が、
Ｎ種類の光波長の光を出力しうるＮ個の光源と、該Ｎ個の光源からの光を合波することによりＮ種類の光波長成分を有する合波光を生成するとともに上記合波光についてＭ×Ｎ個に分岐したものを合波分配光として出力する合波分岐部と、該合波分岐部にて分岐されたＭ×Ｎ個の合波分配光のうちでＮ個の合波分配光を分配入力され上記Ｎ種類の光波長のうちの任意の波長のみが通過されたＮ個の光を出力しうるＭ組の波長フィルタ部と、該各波長フィルタ部にて通過すべき光波長を、互いに異なるように設定する波長設定制御部と、該Ｍ組の波長フィルタ部のいずれか一組の波長フィルタ部からのＮ個の光を入力光としてデータ変調処理を施す変調部とをそなえる一方、
該挿入部の上記一組の波長フィルタ部以外の波長フィルタ部からの各々Ｎ個の光については、上記伝送用光ファイバを介して接続された他の光挿入分岐装置の挿入部における上記データ変調処理を施す際の入力光として用いるように構成されたことを特徴とする、光挿入分岐装置。
【請求項９】
所望の波長を有する入力光を供給する光源装置であって、
Ｎ種類の光波長の光を出力しうるＮ個の光源と、
該Ｎ個の光源からの光を合波することによりＮ種類の光波長成分を有する合波光を生成するとともに、上記合波光について少なくともＮ個に分岐したものを合波分配光として出力する合波分岐部と、
該合波分岐部にて分岐されたＮ個の合波分配光を入力され上記Ｎ種類の光波長のうちのいずれか一つの光波長のみを通過しうるＮ個の波長フィルタと、
該Ｎ個の波長フィルタにて通過すべき光波長を、任意の組み合わせで互いに異なるように設定する波長設定制御部とをそなえて構成されたことを特徴とする、光源装置。
【発明の詳細な説明】
【０００１】
（目次）
発明の属する技術分野
従来の技術（図１４〜図２１）
発明が解決しようとする課題
課題を解決するための手段（図１）
発明の実施の形態
・第１実施形態の説明（図２〜図４）
・・第１実施形態の第１変形例の説明（図５）
・・第１実施形態の第２変形例の説明（図６）
・・第１実施形態の第３変形例の説明（図７）
・・第１実施形態の第４変形例の説明（図８）
・・第１実施形態の第５変形例の説明（図９）
・第２実施形態の説明（図１０，図１１）
・・第２実施形態の第１変形例の説明（図１２）
・第３実施形態の説明（図１３）
・その他
発明の効果
【０００２】
【発明の属する技術分野】
本発明は、複数の異なる波長を多重して伝送する波長多重伝送に用いて好適な光クロスコネクト装置，光挿入分岐装置および光源装置に関するものである。
【０００３】
【従来の技術】
伝送容量を拡大し、信号の出し入れが柔軟なネットワークを構築することができ得る伝送技術として、波長多重（Wavelength Division Multiplexing，以下「ＷＤＭ」と言う。）方式が、案出されている。
このＷＤＭ方式は、複数の異なる光信号を多重して伝送する技術であり、従来の一本の光ファイバに一種類の波長の光を高速に変調して送信する方式に比較して、同じ伝送速度の信号を多重するならば、その波長多重数分だけ、情報量を多く送信することができる。あるいは、低速の信号でも多重化することにより、高速の一波の信号を送る方式と同様の伝送容量を得ることができる。
【０００４】
また、このＷＤＭ方式は、光ファイバの帯域特性を活かして多重信号を伝送するものであるため、波長間隔が隣接波長信号の影響を受けない程度に離れている必要がある。
上記のＷＤＭ伝送システムを基に、光ネットワークが提案されており、ネットワーク上では、伝送路途中にノードと呼ばれる中継点があり、このノードは、波長多重された信号を波長毎に分離し、必要に応じて波長変換を行ない、所望の伝送路に振り分ける光クロスコネクト機能としての機能や、必要な情報を持つ所望の光波長信号を自由に分岐／挿入できる光ＡＤＭの機能を持つ。
【０００５】
ここで、図１４は、従来案出されている光クロスコネクトノード（以下、「光クロスコネクト装置」と言う。）１００′を示す図であり、この図１４に示すように光クロスコネクト装置１００′は各１６本の光ファイバ０′−１〜０′−１６を伝送してくる互いに異なる複数の波長λ１〜λ８を含む波長多重信号をそれぞれ受信し、各波長多重信号に含まれている波長信号毎に送信光の波長の変換や、送出光ファイバ０′−１〜０′−１６の変更等の光信号の入替えを行なうものである。
【０００６】
ここで、図１５は、従来案出されている光クロスコネクト装置１００′を示すブロック図であり、この図１５に示すように光クロスコネクト装置１００′は、波長多重信号のパワーを増幅するアンプ０ｃ′−１〜０ｃ′−１６，波長毎に分波する分波器１０ａ′−１〜１０ａ′−１６，所定の波長信号を電気変換してその情報をＯＳに送出するＯＲ２１ａ′，新たに送信光を生成するＯＳ２１ｂ′，８個の光信号の送出先を制御する８×１６ＤＣスイッチ３０ａ′−１〜３０ａ′−１６，１６個の８×１６ＤＣスイッチ３０ａ′−１〜３０ａ′−１６から受信した光信号を多重する１６×１カプラ４０ａ′−１〜４０ａ′−１６，合波光のパワーを増大する増幅器０ｄ′−１〜０ｄ′−１６をそなえて構成されている。
【０００７】
ここで、図１６および図１７は、従来案出されている各ＯＲ２１ａ′，ＯＳ２１ｂ′を示すブロック図であり、この図１６に示すように各ＯＲ２１ａ′はフォトダイード（Photo diode ；以下「ＰＤ」と言う。）２１ａ′−１により構成され、各ＯＳ２１ｂ′は８個のＬＤ光源２１ｂ′−１，８個のＬＤ光源２１ｂ′−１からの光を１個選択する光スイッチ２１ｂ′−２，ＰＤ２１ａ′−１にて電気変換した情報を基に光スイッチ２１ｂ′−２からの所定波長の光に変調処理を施す変調器２１ｂ′−３をそなえて構成される。
【０００８】
一方、図１７に示すＯＳ２１ｂ′は、互いに波長が異なる８種類の光を送出する波長可変ＬＤ２１ｂ′−４，ＰＤ２１ａ′−１にて電気変換した情報を基に光波長可変ＬＤ２１ｂ′−４からの所定波長の光に変調処理を施す変調器２１ｂ′−３をそなえて構成されている。
このような構成により、従来案出されている光クロスコネクト装置１００′では、各波長多重信号に含まれている各信号に対してクロスコネクト処理を施すようになっている。
【０００９】
このように、メッシュ状に張られたネットワークにおいて、光クロスコネクト装置は、Ｎ波多重された信号をＭ本のファイバから受け取り、これを波長毎に分離して、必要に応じて波長変換を行ない、所望のファイバに所望の信号を光波長多重して送信するようになっている。
具体的には、分波器１０ａ′−１〜１０ａ′−１６で波長分離された光はそれぞれ、ＯＲ２１ａ′で光信号を電気信号に変換され、この電気信号で新たな光源の波長の光を変調して、スイッチ３０ａ′−１〜３０ａ′−１６で経路を切り替えて、所望の信号を所望のファイバ０′−１〜０′−１６に送り出す。
【００１０】
さらに、上記のポイントからポイントへ送信するＷＤＭ方式だけでなく、伝送路の途中に設けられたノードと呼ばれる中継点で、多重化された信号光のうちのある特定の波長信号光だけを選択的に透過させ、それ以外の波長の信号をそのノードで受信したり、このノードから別の信号の光を挿入して、別のノードへ送信したりするといった、ＡＤＭ（Add-Drop Multiplexer）機能を備えたＷＤＭ方式のネットワークが提案されている。
【００１１】
ここで、図１８は、ＡＤＭ（Add-Drop Multiplexer）機能を備えたＷＤＭ方式のネットワーク３００′を示す図であり、また、図１９はＡＤＭ機能を備えた方式のネットワーク３００″を示す図であり、この図に示すような光ＡＤＭ装置４００′−１では、例えば、ドロップ（Drop）した５個の光の波長に対応して、ドロップ（Drop）した５個（或いは４個）等の光の波長と同じ波長の光を光ファイバへ供給する。なお、実際に最大使用するＮ波（Ｎは自然数）に対してＰ波分岐した場合に、挿入する波長数は同じＰ波になるとは限らない。
【００１２】
ここで、光ＡＤＭ装置４００′−１は図２０に示すように８個のＬＤ光源から１個の光を選択するスイッチ２２３′，各スイッチ２２３′からの光のパワーを増幅する増幅器２２３′−１，各スイッチ２２３′からの光に変調処理を施す変調器２２７′，５個の変調器２２７′からの光信号を波長多重する合波器２２８′をそなえて構成される。
【００１３】
上述の構成により光ＡＤＭ装置４００′−１は、信号を光の状態のままで、自由に分岐／挿入できることができる。
一方、図２１は、図２０に示す光ＡＤＭ装置４００′−１のようにＬＤ光源を８×５個備えずに互いに波長が異なる８種類の波長を出力する波長可変ＬＤ２２１′をそなえて構成される光ＡＤＭ装置４００′−２を示す図であり、この図２０に示す光ＡＤＭ装置４００′−２でも光ＡＤＭ装置４００′−１と同様に信号を光の状態のままで、自由に分岐／挿入できる。
【００１４】
【発明が解決しようとする課題】
しかし、従来案出されている光クロスコネクト装置１００′では、１６×８×８個のＬＤ光源をそなえる必要があり、光源自体の管理も煩雑となる課題がある。また、状況に合わせてダイナミックに波長を切り替えることが出来ず、予め決められた波長での送信になるので、柔軟性に欠けるシステムになる。
【００１５】
光ＡＤＭ４００′−１においても、８×５個のＬＤ光源をそなえる必要があり、光源自体の管理も煩雑となる課題がある。
光源の故障にそなえて予備の光源を用意する等の冗長構成が、実システムでは考慮されるべきであるが、波長多重送信部の全ての光源に対して予備の光源を用意することはコスト的には負担となるが、さらに、波長多重システムが多数個ある場合にも、全ての光源に対して予備の光源を用意すると、光源部のコストは非常に高いものになる。
【００１６】
また、波長可変光源を使用する構成もあるが、所望の波長に設定されるまでのスイープ時間やその間の他信号へ影響が問題となる課題がある。
本発明は、このような課題に鑑み創案されたもので、変調器等の変調処理を施す際に用いる光源が多く必要である場合に、少ない光源からの所定の光波長を多数の変調処理の際に用いることができる光クロスコネクト装置，光挿入分岐装置および光源装置を提供することを目的とする。
【００１７】
【課題を解決するための手段】
図１は本発明の光クロスコネクト装置１００を示す原理ブロック図であり、この図１において、１０−１〜１０−Ｍはそれぞれ波長分離部であり、Ｍ個の各波長分離部１０−１〜１０−Ｍは互いに異なるＮ種類の波長の多重信号をＭ本の光ファイバ０−１〜０−Ｍを介してそれぞれ入力され、多重光信号についてＮ個の光信号に波長分離するものである。
【００１８】
２０−１〜２０−Ｍはそれぞれ光再生中継部であり、各光再生中継部２０−１〜２０−Ｍは、それぞれ各波長分離部１０−１〜１０−Ｍにて波長分離されたＮ個の光信号のそれぞれを電気信号に変換した後に所望の光波長で変調することにより光再生中継を行なうものである。
３０は詰替部であり、この詰替部３０は、各光再生中継部２０−１〜２０−Ｍにて光再生中継されたＭ組の光信号について相互に詰め替えを行なうものである。
【００１９】
４０は集束部であり、この集束部４０は詰替部３０にて詰め替えられたＭ組の光信号について集束するものである。
５０は光源装置であり、Ｍ組の光再生中継部２０−１〜２０−Ｍにおいて変調すべき所望の波長を有する入力光を供給するものである。
ここで、光源装置５０は、Ｎ種類の光波長を出力しうるＮ個の光源５１−１〜５１−Ｎと、合波分岐部５２，波長フィルタ部５３−１〜５３−Ｍおよび波長設定制御部５４をそなえて構成される。
【００２０】
合波分岐部５２は、Ｎ個の光源からの光を合波することによりＮ種類の光波長成分を有する合波光を生成するとともに、合波光をＭ×Ｎ個に分岐したものを合波分配光として出力するものである。
各波長フィルタ部５３−１〜５３−Ｍは、合波分岐部５２にて分岐されたＭ×Ｎ個の合波分配光のうちでＮ個の合波分配光を分配入力されＮ種類の光波長のうちの任意の波長のみが通過された光をＮ個出力しうるものである。
【００２１】
波長設定制御部５４は、各波長フィルタ部５３−１〜５３−Ｍにて通過すべき光波長を互いに異なるように設定する。
尚、各Ｍ組の波長フィルタ部５３−１〜５３−ＭからのＮ個の光は、各光再生中継部２０−１〜２０−Ｍでの入力光として供給されるようになっている（請求項１）。
【００２２】
また、合波分岐部５２が、合波カプラ部と分岐カプラ部とを設けてもよく、合波カプラ部はＮ個の光源５１−１〜５１−Ｎからの光を合波するものであり、分岐カプラ部は合波カプラ部から出力された合波光についてＭ×Ｎ個に分岐するものである（請求項２）。
別に、光源装置５０が、Ｎ個の光源５１−１〜５１−Ｎのいずれかが故障した場合に故障した光源５１−１〜５１−Ｎと同一の波長の光を出力しうる予備光源部をそなえて構成してもよい（請求項３）。
【００２３】
あるいは、各光再生中継部２０−１〜２０−Ｍが、光電変換部と変調部とをそれぞれそなえてもよく、各光電変換部は各波長分離部１０−１〜１０−Ｍにて波長分離されたＮ個の光信号をそれぞれ電気信号に変換するものであり、変調部はＮ個の光電変換部からの電気信号に基づき入力光を変調して詰替部３０に出力するものである（請求項４）。
【００２４】
そのうえ各光再生中継部２０−１〜２０−Ｍが、ゲートスイッチと予備光源再生中継部とを設けてもよく、ゲートスイッチはＮ個の変調部のうちのいずれかが故障した場合に変調部による光中継再生系を断状態とするものであり、予備光源再生中継部は故障した変調部による光中継再生系と同一の変調を行ないうるものである（請求項５）。
【００２５】
また、Ｎ個の光源５１−１〜５１−Ｎが、Ｎ個の半導体レーザかまたはアレーレーザにより構成してもよい（請求項６）。
合波分岐部５２から出力された合波分配光に基づいて、各光源５１−１〜５１−Ｎから出力される光の波長を安定化する波長安定化部を設けることにしてもよい（請求項７）。
【００２６】
一方、本発明の光挿入分岐装置は、伝送用光ファイバを介して伝送される互いに異なるＮ種類の波長の多重光信号について、多重光信号を構成するＮ種類の波長のうちの任意のＰ種類の波長の光信号を分波する分波部と、分波部にて分波された波長に対応するＰ′種類の波長を有する伝送用光信号を伝送用光ファイバに挿入する挿入部をそなえるとともに、挿入部が、Ｎ種類の光波長の光波長の光を出力しうるＮ個の光源と、Ｎ個の光源からの光を合波することによりＮ種類の光波長成分を有する合波光を生成するとともに合波光についてＭ×Ｎ個に分岐したものを合波分配光として出力する合波分岐部と、合波分岐部にて分岐したものを合波分配光として出力する合波分岐部と、合波分岐部にて分岐されたＭ×Ｎ個の合波分配光のうちでＮ個の合波分配光を分配入力されＮ種類の光波長のうちで任意の波長のみが通過されたＮ個の光を出力しうるＭ組の波長フィルタ部と、各波長フィルタ部にて通過すべき光波長を、互いに異なるように設定する波長設定制御部と、Ｍ組の波長フィルタ部のいずれか一組の波長フィルタ部からのＮ個の光を入力光としてデータ変調処理を施す変調部とをそなえる一方、挿入部の一組の波長フィルタ部以外の波長フィルタ部からの各々Ｎ個の光については、伝送用光ファイバを介して接続された他の光挿入分岐装置の挿入部におけるデータ変調処理を施す入力光として用いるように構成される（請求項８）。
【００２７】
他方、本発明の光源装置は、所望の波長を有する入力項を供給する光源装置であって、Ｎ種類の光波長の光を出力しうるＮ個の光源と、Ｎ個の光源からの光を合波することによりＮ種類の光波長成分を有する合波光を生成するとともに、合波光について少なくともＮ個に分岐したものを合波分配光として出力する合波分岐部と、合波分岐部にて分岐されたＮ個の合波分配光を入力されＮ種類の光波長のうちのいずれか一つの光波長のみを通過しうるＮ個の波長フィルタと、Ｎ個の波長フィルタにて通過すべき光波長を、任意に組み合わせて互いに異なるように設定する波長設定制御部とをそなえて構成される（請求項９）。
【００２８】
【発明の実施の形態】
以下、図面を参照して発明の実施の形態について説明する。
（Ａ）第１実施形態の説明
図２は、本発明の第１実施形態にかかる光クロスコネクト装置１００ａを示すブロック図であり、この図２に示すように光クロスコネクト装置１００ａには、入側と出側にそれぞれ１６本の光ファイバ０ａ−１〜０ａ−１６，０ｂ−１〜０ｂ−１６が接続されている。
【００２９】
この各光ファイバ０ａ−１〜０ａ−１６，０ｂ−１〜０ｂ−１６には、互いに波長が異なる８種類の波長λ1 〜λ8 が伝送されるようになっている。
尚、１６本の光ファイバから１６種の波長多重信号が伝送されることに鑑みて、説明の便宜を図り光ファイバ０ａ−１と光ファイバ０ｂ−１を関連付けして１系（以下，「♯１」と言う。）とし、全体に入側と出側に各１６本の光ファイバが接続されていることから光クロスコネクト装置１００ａでは、全１６系内在する。
【００３０】
以下、光ファイバ０ａ−１を介して伝送されてくる波長多重信号及び光ファイバ０ｂ−１に伝送される波長多重信号に着目して、即ち♯１に関して、説明する。
♯１に関連するものとして、光クロスコネクト装置１００ａは、増幅器（Amplifier ）０ｃ−１，０ｄ−１，分波器（ＷＤＭ  ＤＥＭＵＸ）１０ａ−１，ＯＲ２１ａ〜２８ａ，ＯＳ２１ｂ〜２８ｂ，８×１６ＤＣスイッチ３０ａ−１，カプラ４０ａ−１，光源装置５０ａを備えて構成される。
【００３１】
分波器１０ａ−１は、波長多重信号を各波長ごとに分波するものである。
ＯＲ２１ａは、波長λ１を電気信号に変換するものである。各ＯＲ２２ａ〜２８ａも、それぞれ波長λ２〜λ８を電気変換するものである。
ＯＳ２１ｂは、ＯＲ２１ａで変換された電気信号を基に、光源装置５０ａから供給される所定波長の光に変調をかけるものである。また、各ＯＳ２１ｂ〜２８ｂは、電気変換される前の光波長λaとは異なる光波長λb（λa≠λb）或いは光波長λaと同一の光波長λaの光を８×１６ＤＣスイッチ３０ａ−１に送信するようになっており、光源装置５０ａから供給される光波長は、λaであるとは限らない。なお、他のＯＳ２２ｂ〜ＯＳ２８ｂもＯＳ２１ｂと同様に供給される光波長に変調をかけて８×１６ＤＣスイッチ３０ａ−１に送出するものである。
【００３２】
すなわち、ＯＳ２１ｂは、ＯＲ２１ａで電気に変換された光信号を、異なる系（♯１以外）の光ファイバへ出力する際には、異なる波長に変更する場合があるから、新たな波長を用いて、新たに光信号を生成するものである。
ここで、８×１６ＤＣスイッチ３０ａ−１は、各ＯＳ２１ｂ〜２８ｂで新たに生成された光信号を所望の光ファイバ０ｂ−１〜０ｂ−１６で送信することができるように出力方向の切り替え制御を行なうものである。
【００３３】
カプラ４０ａ−１は、各８×１６ＤＣスイッチ３０ａ−１〜３０ａ−１６からの光ファイバ０ｂ−１で送信する光波長を多重するものである。
尚、上述の構成（符号１０ａ−１，２１ａ〜２８ａ，２１ｂ〜２８ｂ，３０ａ−１，４０ａ−１，０ｃ−１，０ｄ−１参照）は、各光ファイバ０ａ−２〜０ａ−１６（♯２〜♯１６）に対しても、光ファイバ０ａ−１（♯１）と同様にそなえて構成される。以下の記載において、説明の便宜上、上記の構成に関して、各光ファイバ０ａ−１〜０ａ−１６に対応する構成要素に符号♯１〜♯１６を付ける場合がある。例えば、光ファイバ０ａ−１から波長多重信号を分離する「分波器１０ａ−１♯１」と言う場合がある。
【００３４】
このことに関連して言うと、１６個の８×１６ＤＣスイッチ３０ａ−１〜３０ａ−１６は、１６組の光ファイバ０ａ−１〜０ａ−１６からの各波長多重信号をそれぞれ波長毎に分離した１２６個の光信号を、何れの出側の光ファイバ０ｂ−１〜０ｂ−１６から送出されるかを、相互に関連し合って、各波長毎にスイッチングを行なうようになっている。
【００３５】
光源装置５０ａは、各ＯＳ２１ｂ〜２８ｂに所望の光波長を出力するものである。
ここで、図３は、第１実施形態にかかる光源装置５０ａを示すブロック図であり、この図３に示すように光源装置５０ａは、光源として異なる光波長を出力する８個のＬＤ（laser diode)光源（以下「ＬＤ  ａｒｒａｙ」と言う。）５１ａ，８×８カプラ５２ａ０，出力値を大きくする増幅器５２ａ１〜５２ａ８，８個の１×１６カプラ５２ｂ１〜５２ｂ８，１２８個のチューナブルフィルタ（Tunable Filter）５３ａ１〜５３ａ１２８および１２８個の増幅器５３ｃ１〜５３ｃ１２８，波長設定制御手段５４ａをそなえて構成される。
【００３６】
８×８カプラ５２ａ０は、ＬＤ  ａｒｒａｙ５１ａからの８種の異なる光波長を合波するものであるとともに、合波光を少なくとも８分割にパワー分岐し得るものである。
１×１６カプラ５２ｂ１〜５２ｂ８は、各々８×８カプラ５２ａ０からの合波光を１６分割にパワー分岐するものである。
【００３７】
各チューナブルフィルタ５３ａ１〜５３ａ１２８は、直列に接続されている１×１６カプラ５２ｂ１〜５２ｂ８で分岐された合波光のうちで所定の波長の光のみを通過しうるものであり、所定波長の光を通過させるに際して、波長設定制御手段５４ａの制御を受けるようになっている。
増幅器５３ｃ１〜５３ｃ１２８は、それぞれ直列につながるチューナブルフィルタ５３ａ１〜５３ａ１２８からの光波長のパワーを増幅するものである。
【００３８】
ここで、各チューナブルフィルタ５３ａ１〜５３ａ−８を通過した光は、それぞれＯＳ２１ｂ〜２８ｂに入力されるようになっている。即ち、チューナブルフィルタ５３ａ１を通過した光は、ＯＳ２１ｂに送信されるようになっている。
波長設定制御手段５４ａは、各チューナブルフィルタ５３ａ１〜５３ａ−８を通過する光波長が互いに異なるようにチューナブルフィルタを制御するものである。チューナブルフィルタにて通過すべき光波長を互いに異なるように設定するものである。
【００３９】
ここで、図４は、本発明の第１実施形態にかかる波長設定制御装置５４ａを示すブロック図であり、この図４に示すように波長設定制御手段５４ａは、制御部５４ａ０，電圧制御発振器（Voltage Controlled Oscillator;以下「ＶＣＯ」と言う。）５４ａ１，スイッチ５４ａ２を備えて構成される。
ここで、制御部５４ａ０はＣＰＵ（Central Processing Unit;中央演算装置) ５４ａ０−１をそなえて構成される。制御部５４ａ０のＣＰＵ５４ａ０−１は、各チューナブルフィルタ５３ａ１〜５３ａ１２８の周囲の温度情報と装置を制御するＣＰＵ（図示しない）からの選択波長変更指示信号をもとに、スイッチ５４ａ２，ＶＣＯ５４ａ１を制御するものである。
【００４０】
スイッチ５４ａ２は、制御部５４ａ０からの制御によりＶＣＯ５４ａ１からの出力周波数を各チューナブルフィルタ５３ａ１〜５３ａ１２８へ送信を断とするか否かのオン／オフ切り替えを行なうものであり、ＶＣＯ５４ａ１は制御部５４ａ０からの制御により各チューナブルフィルタ５３ａ１〜５３ａ１２８へ送信する出力周波数を制御するものである。
【００４１】
上述の構成により、分波器１０ａ−１は、光ファイバ０ａ−１を媒体として伝送する多重信号を、波長毎に分波する。各ＯＲ２１ａ〜２８ａは、各々分波器１０ａ−１で分波された光信号をそれぞれ電気信号に変換するとともに、電気信号を直列に接続されているＯＳ２１ｂ〜２８ｂに送出する。
一方、光源装置５０ａは、所望の波長の光をＯＳ２１ｂ〜２８ｂへ送出する。ここで、光源装置５０ａ内において、８×８カプラ５２ａ０は、ＬＤ  ａｒｒａｙ５１ａからの互いに異なる光波長を合波するとともに、合波した合波光を少なくとも８分割にパワー分岐する。
【００４２】
各１×１６カプラ５２ｂ１〜５２ｂ８は、８×８カプラ５２ａ０で分岐された光信号を直列に接続されている増幅器５２ａ１〜５２ａ８を介して受信し、さらに１６分割にパワー分岐する。
すなわち、８×８カプラ５２ａ０及び８個の１×１６カプラ５２ｂ１〜５２ｂ８は、ＬＤ  ａｒｒａｙ５１ａからの光を合波することにより８種類の光波長成分を有する合波光を生成するとともに、合波光について１６×８個にパワー分配したものを合波分配光として出力する合波分岐部としての機能を発揮する。
【００４３】
波長設定制御手段５４ａは、各チューナブルフィルタ５３ａ１〜５３ａ１２８から任意の光波長が通過しうるように各チューナブルフィルタ５３ａ１〜５３ａ１２８を制御する。
♯１のＯＳ２１ａ〜２８ａに対応するチューナブルフィルタ５３ａ１〜５３ａ８は、１×１６カプラ５２ｂ１からの光波長を、波長設定制御手段５４ａの制御の下で、所望の光波長を通過させる。ここで、光源装置５０ａは、各チューナブルフィルタ５３ａ１〜５３ａ８を通過した光を、それぞれＯＳ２１ｂ〜２８ｂに出力する。即ち、チューナブルフィルタ５３ａ１を通過した光は、増幅器５３ｃ１でパワーを所望のパワーに増幅された後に、ＯＳ２１ａへ送られる。
【００４４】
なお、同様に♯２のＯＳ２１ａ♯２〜２８ａ♯２に対応するチューナブルフィルタ５３ａ９〜５３ａ１６は、１×１６カプラ５２ｂ２からの光波長を波長設定制御手段５４ａの制御の下で、所望の光波長を通過させる。例として、チューナブルフィルタ５３ａ１６に着目して言えば、光源装置５０ａは、チューナブルフィルタ５３ａ１６を通過した光をＯＳ２８ａ♯２へ送信する。また、同様に、♯１６のＯＳ２１ａ♯１６〜２８ａ♯１６に対応するチューナブルフィルタ５３ａ１２１〜５３ａ１２８は、１×１６カプラ５２ｂ８からの光波長を波長設定制御手段５４ａの制御の下で、所望の光波長を通過させる。例として、チューナブルフィルタ５３ａ１６に着目して言えば、光源装置５０ａは、チューナブルフィルタ５３ａ１６を通過した光をＯＳ２８ａ♯１６へ送信する。
【００４５】
このように、８組のチューナブル波長フィルタ５３ａ１〜５３ａ１２８は、合波分岐部である８×８カプラ５２ａ０及び１×１６カプラ５２ｂ１〜５２ｂ８にて分岐された１６×８個の合波分岐光のうちで８個の合波分岐光を分配入力され８種類の光波長のうちの任意の波長のみが通過された光を８個出力しうる１６組の波長フィルタ部としての機能を発揮する。
【００４６】
光源装置５０ａの各チューナブルフィルタ５３ａ１〜５３ａ−８（♯２〜♯１６に関するものも同様）は、波長設定制御手段５４ａからの制御の下で、所望の光波長を通過させ、ＯＳ２１ｂ♯１〜２８ｂ♯１（♯２〜♯１６）に光波長を出力する。ここで、波長制御設定手段５４ａが波長を選択する際において、選択波長変更指示信号を受信するとスイッチ５４ａ２をオフ（ＯＦＦ）制御するとともに、温度モニタを用いて基準温度での発信周波数に加算する温度モニタによる補正値を求め、選択波長対応周波数を決定し、所定の発信周波数になるようにＶＣＯ５４ａ１を電圧制御する。
【００４７】
スイッチ５４ａ２は、制御部５４ａ０からのオン（ＯＮ）制御を受けると、ＶＣＯ５４ａ１が制御部５４ａ０からの電圧制御の下で発信した所望の周波数をチューナブルフィルタ５３ａ１〜５３ａ１２８に出力する。
このように、波長制御設定手段５４ａは、各ＯＳ２１ｂ〜２８ｂへ所望の光波長が供給されるようにチューナブルフィルタ５３ａ１〜５３ａ８をそれぞれ制御する。すなわち、波長制御設定手段５４ａは、波長フィルタ部にて通過すべき光波長を設定する波長設定制御部としての機能を発揮する。
【００４８】
そして、各ＯＳ２１ｂ♯１〜２８ｂ♯１は、それぞれ電気信号を基に、光源装置５０ａからの光波長に変調をかけて８×１６ＤＣスイッチ３０ａ−１♯１に送出する。
このように、ＯＲ２１ａ♯１〜２８ａ♯１及びＯＳ２１ｂ♯１〜２８ｂ♯１（図２中符号２０ａ−１）は、分波器１０ａ−１にて波長分離された８個の光信号のそれぞれを電気信号に変換する８個のＯＲ２１ａ♯１〜２８ａ♯１と、８個のＯＲ２１ａ♯１〜２８ａ♯１からの電気信号に基づき入力光を変調して８×１６ＤＣスイッチ３０ａ−１♯１に出力する８個のＯＳ２１ｂ♯１〜２８ｂ♯１とをそなえた光再生中継部として機能し、また、ＯＲ２１ａ〜２８ａ及びＯＳ２１ｂ〜２８ｂと同様の要素が他の光ファイバ０ａ−２〜０ａ−１６からの合波光に対しても本発明の光クロスコネクト装置１００ａ内にそなえられていることから、１６組の８個のＯＲ２１ａ〜２８ａ（♯１〜♯１６）及び８個のＯＳ２１ｂ〜２８ｂ（♯１〜♯１６）〔図２中符号２０ａ−１〜２０ａ−１６参照〕は、分波器１０ａ−１にて波長分離された８個の光信号のそれぞれを電気信号に変換した後に所望の光波長で変調することにより光再生中継を行なう１６組の光再生中継部の機能を発揮する。なお、以下の説明において、図２に示す符号２０ａ−１〜２０ａ−１６の部分を「１６組の光再生中継部２０ａ−１〜２０ａ−１６」と言う場合がある。
【００４９】
８×１６ＤＣスイッチ３０ａ−１♯１は、各ＯＳ２１ｂ♯１〜２８ｂ♯１で新たに生成された光信号を、それぞれ所定の光ファイバ０ｂ−１〜０ｂ−１６から送信されるように所定の１６×１カプラ４０ａ−１〜１６に送信する。
なお、８個の８×１６ＤＣスイッチ３０ａ−１〜３０ａ−１６は、各々、新たに生成された光信号を、それぞれ所定の光ファイバ０ｂ−１〜０ｂ−１６から送信されるように所定の１６×１カプラ４０ａ−１〜１６に送信する。換言すると、８個の８×１６ＤＣスイッチ３０ａ−１〜３０ａ−１６は、受信した合波光に含まれている１２８個のデータを並びかえをする。
【００５０】
このように、８個の８×１６ＤＣスイッチ３０ａ−１〜３０ａ−１６は、各光再生中継部としてのＯＲ，ＯＳにて光再生中継された１６組の光信号について相互に詰め替えを行なう詰替部としての機能を発揮する。
１６×１カプラ４０ａ−１は、各８×１６ＤＣスイッチ３０ａ−１〜３０ａ−１６からの光信号を多重して、ファイバ０ｂ−１へ送出する。なお、１６個の各１６×１カプラ４０ａ−１〜４０ａ−１６は、各々８×１６ＤＣスイッチ３０ａ−１〜３０ａ−１６からの新たに生成された光信号を多重し、波長多重信号を光ファイバ０ｂ−１〜０ｂ−１６へ送出する。
【００５１】
このように、１６個の１６×１カプラ４０ａ−１〜４０ａ−１６は、詰替部である１６個の８×１６ＤＣスイッチ３０ａ−１にて詰め替えられた１６組の光信号について集束する集束部としての機能を発揮する。
このように、本発明の第１実施形態にかかる光クロスコネクト装置１００ａによれば、１６組の光再生中継部２０ａ−１〜２０ａ−１６である各８個のＯＲ２１ａ〜２８ａ，ＯＳ２１ｂ〜２８ｂにおいて光を再生する際に、用いる光波長を、ＬＤ光源自体（ＬＤ ａｒｒａｙ５１ａ）を共用し、光源装置５０ａからの分配光源を送信光源として使用することにより、１６×８個の変調器（ＯＳ）２１ｂ〜２８ｂ（♯１〜♯１６）が任意の波長を送信することができ、そなえておくべき光源として８個のＬＤを用意すれば十分で、装置の構成を簡素にしつつ、製造コストも下げることになり得る。また、光源装置５０ａからの分配数が多くなればなるほど、その数に比例して、一信号当たりのコストは低減することができることも、効果的である。
【００５２】
さらに、波長多重伝送においては波長管理が重要であるが、光源装置５０ａが８個のＬＤを用意すれば足りることから、１６×８個の光源を用意する場合に比して、光源数が少ないことで、波長管理や波長制御又波長のモニタ（監視）等の手間を少なくすることができ、管理がし易くなることが期待できる。
（Ａ１）第１実施形態の第１変形例の説明
本発明の第１実施形態の第１変形例にかかる光クロスコネクト装置１００ａ１は、前述の第１実施形態にかかる光クロスコネクト装置１００ａに比して光源装置５０ａの代わりに光源装置５０ａ１をそなえて構成される点が異なり、その他（符号０ａ−１〜０ａ−１６，１０ａ−１〜１０ａ−１６，２１ａ〜２８ａ，２１ｂ〜２８ｂ，３０ａ−１〜３０ａ−１６，４０ａ−１〜４０ａ−１６，０ｂ−１〜０ｂ−１６等参照）の構成は同様である。
【００５３】
尚、（Ａ）で用いたものと同じものについては、その説明を省略する。
ここで、図５は、本発明の第１実施形態の第１変形例にかかる光源装置５０ａ１を示すブロック図であり、この図５に示すように光源装置５０ａ１は、ＬＤ  ａｒｒａｙ５１ａ，８×１カプラ５２ａ′１，合波光のパワー値を増幅する増幅器５２ａ′３，１×１２８カプラ５２ａ′２，チューナブルフィルタ５３ａ′１〜５３ａ′１２８，所定波長の光出力を増幅する増幅器５３ｃ′１〜５３ｃ′１２８，波長設定制御手段５４ａをそなえて構成される。
【００５４】
８×１カプラ５２ａ′１はＬＤ  ａｒｒａｙ５１ａ内の互いに異なる８種類の光波長を出力するＬＤ光源からの光波長を１つの合波光にするものであり、１×１２８カプラ５２ａ′２は８×１カプラ５２ａ′１で合波された合波光を増幅器５２ａ′３を介して１２８個にパワー分岐するものである。
換言すると、８×１カプラ５２ａ′１は合波分岐部に備えられる８個の光源からの光を合波する合波カプラ部として機能するものであり、一方、１×１２８カプラ５２ａ′２は８×１カプラ５２ａ′１から出力された合波光について１６×８個に分岐する分岐カプラ部として機能するものである。
【００５５】
各チューナブルフィルタ５３ａ′１〜５３ａ′８は、前述のチューナブルフィルタ５３ａ１♯１〜５３ａ′８♯１と同様に、波長設定制御手段５４ａの制御下で、所望の光波長を通過させて、それぞれＯＳ２１ｂ♯１〜２８ｂ♯１へ出力するものである。例えば、チューナブルフィルタ５３ａ−８に着目して言えば、光源装置５０ａ′は、チューナブルフィルタ５３ａ′−８を通過した光を増幅器５３ｃ′８を介してＯＳ２８ｂ♯１に送信するようになっている。
【００５６】
同様に図５に示すチューナブルフィルタ５３ａ′９〜５３ａ′１２８は各々１×１２８カプラ５２ａ′２で分岐された合波光を所望の光波長のみを通過させて、所定の光を所定のＯＳ２１ｂ〜２８ｂ（♯２〜♯１６）に送信するようになっている。
上述の構成により、本発明の第１実施形態の第１変形例にかかる光クロスコネクト装置１００ａ１では、８×１カプラ５２ａ′１が光源であるＬＤ  ａｒｒａｙ５１ａから出力される波長が異なる８種類の光を合波して、１×１２８カプラ５２ａ′２が増幅器５２ａ′３を介して増幅された合波光を１２８分割にパワー分岐する。
【００５７】
各チューナブルフィルタ５３ａ′１♯１〜５３ａ′８♯１は、波長設定制御手段５４ａからの制御の下で、それぞれ所望の光波長をＯＳ２１ｂ♯１〜２８ｂ♯１に出力する。ここで、例としてチューナブルフィルタ５３ａ′１に着目して言えば、チューナブルフィルタ５３ａ′１を通過した光は、ＯＳ２１ｂ♯１に送出される。
【００５８】
このように、本発明の第１実施形態の第１変形例にかかる光クロスコネクト装置１００ａ１によれば、各ＯＳ２１ｂ〜２８ｂ２８（♯１〜♯１６）で光信号を異なる周波数を用いて再生する際などに用いる光波長を、１２８個のＬＤを用いずに互いに異なる光波長を出力する８個のＬＤを用いることで、装置の構成を簡素にしつつ、製造コストも下げることになり得る。また、光源装置５０ａ１からの分配数が多くなればなるほど、その数に比例して、一信号当たりのコストは低減することができることも、効果的である。
【００５９】
さらに、波長多重伝送においては波長管理が重要であるが、光源装置５０ａ１が８個のＬＤを用意すれば足りることから、１６×８個の光源を用意する場合に比して、光源数が少ないことで、波長管理や波長制御又波長のモニタ（監視）等の手間を少なくすることができ、管理がし易くなることが期待できる。
（Ａ２）第１実施形態の第２変形例の説明
本発明の第１実施形態の第２変形例にかかる光クロスコネクト装置１００ａ２は、前述の第１実施形態にかかる光クロスコネクト装置１００ａの光源装置５０ａに波長安定化回路５５をそなえて構成（以下、「光源装置５０ａ２」と言う）される点が異なる。
【００６０】
尚、（Ａ）で用いたものと同じものについては、その説明を省略する。
ここで、図６は、本発明の第１実施形態の第２変形例にかかる波長安定化回路５５を示すブロック図であり、この図６に示す波長安定化回路５５は、スペクトルアナライザ５５ａ，制御回路５５ｂ，駆動回路５５ｃ１〜５５ｃ８をそなえて構成される。
【００６１】
ここで、８×８カプラ５２ａ０は、少なくとも８＋１個の合波光を分岐するようになっている。
スペクトルアナライザ５５ａは、８×８カプラ５２ａ０からの分岐光の一つの合波光をモニタして各ＬＤ光源からの波長を読み取り、そのデータを制御回路５５ｂに送るようになっている。制御回路５５ｂは、スペクトルアナライザ５５ａからの各ＬＤ光源の波長データを基に、各信号波長の予め知れている設定値との誤差を算出し、これに対応した誤差信号を各ＬＤ光源のＬＤ駆動回路５５ｃ１〜５５ｃ８に送信するようになっている。
【００６２】
各ＬＤ駆動回路５５ｃ１〜５５ｃ８は、各々ＬＤ光源から所定の波長で光を出力するようにＬＤ光源を駆動するものである。
上述の構成により、本発明の第１実施形態の第２変形例にかかる光クロスコネクト装置１００ａ２では、波長安定化回路５５内のスペクトルアナライザ５５ａが、８×８カプラ５２ａ０からの分岐光をモニタする（ステップ１）とともに、各ＬＤ光源からの光波長を監視して、各ＬＤ光源から光波長データを制御回路５５ｂへ送信する（ステップ２）。
【００６３】
制御回路５５ｂは、予め知れている各ＬＤ光源の波長規定値との誤差を算出し、これに対応した誤差信号を各ＬＤ光源の駆動回路５５ｃ１〜５５ｃ８に送信する（ステップ３）。
各ＬＤ光源の駆動回路５５ｃ１〜５５ｃ８は、制御回路５５ｂからの誤差信号を受信すると、ＬＤ光源の駆動電流（或いは温度）等を調整する。
【００６４】
上述のように、波長安定化回路５５は、８×８カプラ５２ａ０から出力された合波分岐光に基づいて、各ＬＤ光源からから出力される光の波長を安定化する波長安定化部としての機能を発揮する。
なお、制御安定化回路５５は、上記ステップ１〜４を繰り返すことで波長の安定化を図る。
【００６５】
このように、本発明の第１実施形態の第２変形例の光クロスコネクト装置１００ａ２によれば、各ＯＳ２１ｂ〜２８ｂ２８（♯１〜♯１６）で光信号を異なる周波数を用いて再生する際などに用いる光波長を、１２８個のＬＤを用いずに互いに異なる光波長を出力する８個のＬＤを用いることで、装置の構成を簡素にしつつ、製造コストも下げることになり得る。また、光源装置５０ａ２からの分配数が多くなればなるほど、その数に比例して、一信号当たりのコストは低減することができることも、効果的である。
【００６６】
さらに、波長多重伝送においては波長管理が重要であるが、光源装置５０ａが８個のＬＤを用意すれば足りることから、１６×８個の光源を用意する場合に比して、光源数が少ないことで、波長管理や波長制御又波長のモニタ（監視）等の手間を少なくすることができ、管理がし易くなることが期待できる。
また、波長安定化回路５５をそなえることで光源波長の安定性を十分にすることができ得る。
【００６７】
（Ａ３）第１実施形態の第３変形例の説明
本発明の第１実施形態の第３変形例にかかる光クロスコネクト装置１００ａ３は、前述の第１実施形態にかかる光クロスコネクト装置１００ａの構成にさらに光源装置５０ａに予備光源５１ａ１，スイッチ５１ｃ，光スイッチ５１ｄ，１×１２８カプラ５２ａ′２，チューナブルフィルタ５３ａ′１〜５３ａ′１２８，増幅器５３ｃ′１〜５３ｃ′１２８，波長安定化回路５５−１がそなえて構成される点が異なる。
【００６８】
尚、（Ａ）〜（Ａ２）で用いたものと同じものについては、その説明を省略する。
図７は、本発明の第１実施形態の第３変形例にかかる光源装置５０ａ３を示すブロック図である。
ここで、波長安定化回路５５−１は、前述の第１実施形態の第２変形例にかかる波長安定化回路５５と同じように構成され、制御回路５５ｂはスペクトルアナライザ５５ａからの各ＬＤ光源の波長のデータを基にＬＤ光源からの光の不在を検出するものであるとともに、合波光の中に不在波長を検出した際にその不在の波長の光を出力するＬＤが故障と判断して光スイッチ５１ｄを現用系（WORK；以下「Ｗ系」と言う。）から待機系（PROTECTION；以下、「Ｐ系」と言う。）に切り替えるものである。
【００６９】
光スイッチ５１ｄは、１×１２８カプラ５２ａ′２へ出力する合波光を、制御回路５５ｂの制御の下で、Ｐ系からの合波光を出力するかＷ系からの合波光を出力するかの切りかえを行なうものである。
スイッチ５１ｃは、制御回路５５ｂの制御の下で、稼働する光源を現用系のＬＤ  ａｒｒａｙ５１ａから待機系のＬＤ  ａｒｒａｙ５１ａ１に切り換えるものである。
【００７０】
上述の構成により、本発明の第１実施形態の第３変形例にかかる光クロスコネクト装置１００ａ３では、波長安定化回路５５−１内のスペクトルアナライザ５５ａが光スイッチ５１ｄで選択されているＷ系のＬＤ  ａｒｒａｙ５１ａが出力した合波光をモニタ（監視）して、そのデータを制御回路５５ｂに送信する。制御回路５５ｂは、合波光中のある波長の光の不在を検出した場合は、その不在の波長の光を出力するＬＤ光源が故障したと判断し得る。
【００７１】
そして、制御回路５５ｂは、Ｗ系カラＰ系に切りかえるように光スイッチ５１ｄを制御する。また、制御回路５５ｂは、制御信号の送信先をＷ系からＰ系に切りかえるようにスイッチ５１ｃを制御する。
制御回路５５ｂの制御の下で、スイッチ５１ｃは制御信号の送信先をＷ系のＬＤ  ａｒｒａｙ５１ａからＰ系のＬＤ  ａｒｒａｙ５１ａ１に切り換え、光スイッチ５１ｄは１×１２８カプラ５２ａ′２へ出力する合波光をＷ系からＰ系に切りかえる。Ｐ系のＬＤ  ａｒｒａｙ５１ａ１を駆動する駆動回路（図７中に図示しない）は、スイッチ５１ｃの切りかえ信号を受けると、波長安定化回路５５ａ′からの制御を受けて各ＬＤ光源を所定波長の光を出力するように制御する。
【００７２】
このように、本発明の第１実施形態の第３変形例にかかる光クロスコネクト装置１００ａ３によれば、１２８個のＬＤを用いずに互いに異なる光波長を出力するＷ（現用）系の８個のＬＤ光源とＰ（待機）系の８個のＬＤ光源を用いることで、装置の構成を簡素にしつつ、製造コストも下げることになり得る。また、光源装置５０ａ３からの分配数が多くなればなるほど、その数に比例して、一信号当たりのコストは低減することができることも、効果的である。
【００７３】
さらに、波長多重伝送においては波長管理が重要であるが、光源装置５０ａ３が８個のＬＤを用意すれば足りることから、１６×８個の光源を用意する場合に比して、光源数が少ないことで、波長管理や波長制御又波長のモニタ（監視）等の手間を少なくすることができ、管理がし易くなることが期待できる。
また、波長安定化回路５５−１をそなえることで光源波長の安定性を十分にすることができ得ることと、予備光源をそなえることで光源自体が断状態となることを防止することができ得る。
【００７４】
（Ａ４）第１実施形態の第４変形例の説明
本発明の第１実施形態の第４変形例にかかる光クロスコネクト装置１００ａ４は、前述の第１実施形態にかかる光クロスコネクト装置１００ａの構成にさらに光源装置５０ａに予備ＬＤ光源５１ａ−１〜５１ａ−８，スイッチ５５ｃ１〜５５ｃ８，光スイッチ５１ｄ１〜５１ｄ８，１×１２８カプラ５２ａ′２，チューナブルフィルタ５３ａ′１〜５３ａ′１２８，増幅器５３ｃ′１〜５３ｃ′１２８，波長安定化回路５５−２をそなえて構成される点が異なる。
【００７５】
尚、（Ａ）〜（Ａ３）で用いたものと同じものについては、その説明を省略する。
図８は、本発明の第１実施形態の第４変形例にかかる光源装置５０ａ４を示すブロック図である。
ここで、波長安定化回路５５−２は、前述の第１実施形態の第２変形例にかかる波長安定化回路５５と同じように構成され、制御回路５５ｂはスペクトルアナライザ５５ａからの各ＬＤ光源の波長のデータを基にＬＤ光源からの光の不在を検出するものであるとともに、合波光の中に不在波長を検出した際にその不在の波長の光を出力するＬＤが故障と判断して、不在の波長を出力するＬＤ光源の光スイッチ５１ｄ１〜５１ｄ８をＷ系からＰ系に切り替えるものである。例えば、波長λ2 の光を出力するＬＤ光源からの光が検出されない場合は、光スイッチ５１ｄ２はＷ系からＰ系に切りかえ、他の光スイッチ５１ｄ１，５１ｄ３〜５１ｄ８はＷ系を保持するようになっている。
【００７６】
光スイッチ５１ｄ１〜５１ｄ８は、１×１２８カプラ５２ａ′１へ出力するＷ系からの光を、制御回路５５ｂの制御の下で、Ｐ系からの光を出力するように切りかえるものである。
スイッチ５１ｃは、制御回路５５ｂの制御の下で、稼働する光源をＷ系のＬＤ光源からＰ系のＬＤ光源５１ａ−１〜５１ａ−８に切り換えるものである。
【００７７】
上述の構成により、本発明の第１実施形態の第４変形例にかかる光クロスコネクト装置１００ａ４では、波長安定化回路５５−２内のスペクトルアナライザ５５ａが各スイッチ５５ｃ１〜５５ｃ８で選択されているＷ系の各ＬＤ光源が出力した合波光をモニタ（監視）して、そのデータを制御回路５５ｂに送信する。制御回路５５ｂは、合波光中のある波長の光の不在を検出した場合は、その不在の波長の光を出力するＬＤ光源が故障したと判断し得る。
【００７８】
そして、制御回路５５ｂは、不在の波長の光を出力するＬＤ光源につながる光スイッチ５１ｄ１〜５１ｄ８をＷ系からＰ系に切りかえるように制御する。また、制御回路５５ｂは、制御信号の送信先をＷ系からＰ系に切りかえるようにスイッチ５５ｃ１〜５５ｃ８を制御する。
制御回路５５ｂの制御の下で、スイッチ５５ｃ１〜５５ｃ８は制御信号の送信先をＷ系のＬＤ光源を駆動する駆動回路（図８には図示しない）からＰ系のＬＤ光源５１ａ−１〜５１ａ−８（図８には図示しない）に切り換え、光スイッチ５１ｄ１〜５１ｄ８は８×１カプラ５２ａ′１へ出力する光をＷ系からＰ系に切りかえる。Ｐ系のＬＤ光源５５ｃ１〜５５ｃ８を駆動する各駆動回路は、それぞれスイッチ５５ｃ１〜５５ｃ８の切りかえ信号を受けると、波長安定化回路５５−２からの制御を受けて各ＬＤ光源を所定波長の光を出力するように制御する。
【００７９】
このように、本発明の第１実施形態の第４変形例にかかる光クロスコネクト装置１００ａ４によれば、１２８個のＬＤを用いずに互いに異なる光波長を出力するＷ（現用）系の８個のＬＤ光源とＰ（待機）系の８個のＬＤ光源を用いることで、装置の構成を簡素にしつつ、製造コストも下げることになり得る。また、光源装置５０ａ４からの分配数が多くなればなるほど、その数に比例して、一信号当たりのコストは低減することができることも、効果的である。
【００８０】
さらに、波長多重伝送においては波長管理が重要であるが、光源装置５０ａ４が８個のＬＤを用意すれば足りることから、１６×８個の光源を用意する場合に比して、光源数が少ないことで、波長管理や波長制御又波長のモニタ（監視）等の手間を少なくすることができ、管理がし易くなることが期待できる。
また、波長安定化回路５５−２をそなえることで光源波長の安定性を十分にすることができ得ることと、予備光源をそなえることで光源自体が断状態となることを防止することができ得る。
【００８１】
（Ａ５）第１実施形態の第５変形例の説明
本発明の第１実施形態の第５変形例にかかる光クロスコネクト装置１００ａ５は、前述の第１実施形態にかかる光クロスコネクト装置１００ａの１６組の各光再生中継部２０ａ−１〜２０ａ−１６に予備のＯＳ２９ｂ（♯１〜♯１６）と光源装置５０ａにゲートスイッチ５６ａ１〜５６ａ１２８，待機系のチューナブルフィルタ５３ａＰ（♯１〜♯１６）・ゲートスイッチ５６ａＰ（♯１〜♯１６）をそなえて構成される点が異なる。
【００８２】
尚、（Ａ）〜（Ａ４）で用いたものと同じものについては、その説明を省略する。
図９は、本発明の第１実施形態の第５変形例にかかる光源装置５０ａ５を示すブロック図である。
ここで、各ゲートスイッチ５６ａ１〜５６ａ８は、各々直列につながるチューナブルフィルタ５３ａ１〜５３ａ８を通過する所定波長の光を８×１６ＤＣスイッチ３０ａ−１へ送るか否かの切り替えを行なうものである。なお、１×１２８カプラ５２ａ′２は、合波光を少なくとも１６×８＋１６（待機系）個にパワー分岐するようになっている。
【００８３】
待機系のチューナブルフィルタ５３ａＰ（♯１〜♯１６）は、波長設定制御手段５４ａの制御の下で、一部のＯＳが故障になった場合に、合波光に含まれているその故障したＯＳが新たに生成する際に用いる波長の光を通過させるものである。
なお、待機系のチューナブルフィルタ５３ａＰ（♯１〜♯１６）には、故障になったＯＳに送られていた電気信号が送信されるようになっている。
【００８４】
ゲートスイッチ５６ａＰ（♯１〜♯１６）は、予備のＯＳ２９ｂにて光信号を新たに生成する場合に、オン状態になり、待機系のチューナブルフィルタ５３ａＰからの所定波長の光を予備のＯＳ２９ｂに送信するようになっている。
上述の構成により、本発明の第１実施形態の第５変形例にかかる光クロスコネクト装置１００ａ５では、一部のＯＳが故障した場合、この故障したＯＳに送られていた電気信号は、予備のＯＳ２９ｂに送信される。
【００８５】
また、待機系のチューナブルフィルタ５３ａＰは、波長設定制御手段５４ａの制御の下で、合波光に含まれているその故障したＯＳが新たに生成する際に用いる波長の光を通過させる。
ゲートスイッチ５６ａＰは、予備のＯＳ２９ｂにて光信号を新たに生成するために、オン状態になり、待機系のチューナブルフィルタ５３ａＰからの所定波長の光を予備のＯＳ２９ｂに送信する。
【００８６】
予備のＯＳ２９ｂＰは、故障したＯＳに送られていた電気信号を受け取り、待機系のチューナブルフィルタ５３ａＰからの所定波長の光を変調して、新たに生成した光信号を８×１６ＤＣスイッチに送信する。
ここで、♯１に関連するＯＳ１ｂ♯１が故障した場合を仮定して述べると、ゲートスイッチ５６ａ１はオフ状態になりチューナブルフィルタ５３ａ１からの波長はＯＳ２１ｂ♯１には送られず、一方、ＯＲ２１ａ♯１からＯＳ１ｂ♯１に送られていた電気信号は、ＯＳ２９ｂ♯１に送られ、波長設定制御手段５４ａの制御の下で待機系のチューナブルフィルタ５３ａＰ♯１は本来チューナブルフィルタ５３ａ１で通過すべき波長の光をゲートスイッチ５６ａＰ♯１に送信し、ゲートスイッチ５６ａＰ♯１は待機系のチューナブルフィルタ５３ａＰ♯１からの所定波長の光をＯＳ２９ｂ♯１に送信し、ＯＳ２９ｂ♯１は所定波長の光に変調の処理を施し新たに生成した光信号を８×１６ＤＣスイッチ３０ａ−１へ送信する。
【００８７】
換言すると、予備の各ＯＳ２９ｂ（♯１〜♯１６）は、待機系のチューナブルフィルタ５３ａＰ（♯１〜♯１６）からの所定波長の光をゲートスイッチ５６ａＰ（♯１〜♯１６）介して受信するとともに、故障したＯＲからの電気信号を受信して、故障したＯＳに光中継再生系と同一の変調を行ないうる予備光再生中継部としての機能を発揮する。
【００８８】
このように、本発明の第１実施形態の第５変形例にかかる光クロスコネクト装置１００ａ５によれば、１２８個のＬＤを用いずに互いに異なる光波長を出力する８個のＬＤ光源を用いることで、装置の構成を簡素にしつつ、製造コストも下げることになり得る。また、光源装置５０ａ５からの分配数が多くなればなるほど、その数に比例して、一信号当たりのコストは低減することができることも、効果的である。
【００８９】
さらに、波長多重伝送においては波長管理が重要であるが、光源装置５０ａ５が８個のＬＤを用意すれば足りることから、１６×８個の光源を用意する場合に比して、光源数が少ないことで、波長管理や波長制御又波長のモニタ（監視）等の手間を少なくすることができ、管理がし易くなることが期待できる。
また、波長安定化回路５５−１をそなえることで光源波長の安定性を十分にすることができ得ることと、予備光源をそなえることで光源自体が断状態となることを防止することができ得るとともに、ゲートスイッチ５６ａ１〜５６ａ１２８、待機系のチューナブルフィルタ５３ａＰ（♯１〜♯１６）およびゲートスイッチ５６ａＰ（♯１〜♯１６）をそなえることで、一部のＯＳ等が故障した場合において、故障以前と同様のシステムを保つことができ得る。
【００９０】
（Ｂ）第２実施形態の説明
図１０は、本発明の第２実施形態にかかる光ＡＤＭ装置２００が適用されるリングネットワーク３００を示すブロック図であり、この図１０に示すようにリングネットワーク３００は、互いに異なる８種類の波長の波長多重信号を伝送するＷ系／Ｐ系の光ファイバ３０１Ｗ／３０１Ｐ，中継局としてのノード３１０ａ〜３１０ｄをそなえて構成される。
【００９１】
尚、（Ａ）〜（Ａ５）で用いたものと同じようなものについては、その詳細な説明を省略する。
ここで各ノード３１０ａ〜３１０ｄは、Ｗ系／Ｐ系の光ＡＤＭ装置２００Ｗ／２００Ｐ，光ファイバ３０１Ｗで伝送されてくる波長多重信号を光ファイバ３０１Ｐに切り替えるまたはその逆処理を施すスイッチ３２０をそなえて構成される。
【００９２】
また、以下の説明において、各ＡＤＭ装置２００Ｗ／２００Ｐでは、互いに波長が異なる８種類の光を含んだ波長多重信号から５波長の光を分岐するとともに、５波長（或いは、５波長以下）の光信号を挿入する場合を過程して説明を進める。なお、ここで、５波長（或いは、５波長以下）の光信号と記載したのは、最大使用数がＮ波（Ｎは自然数）に対して、Ｐ波分岐した場合に、挿入する波長数はＰ波になるとは限らず、Ｐ波以下のＰ′波（Ｐ′＝Ｐの場合もある）となる。
【００９３】
図１１は、本発明の第２実施形態にかかる光ＡＤＭ装置２００Ｗを示すブロック図であり、この図１１に示す光ＡＤＭ装置２００Ｗは、合波光を１個分配する２×１カプラ２０１，互いに異なる８種類の波長の波長多重信号を波長別に分波する分波器２０２，ゲートスイッチ２０３，アッテネータ２０４，互いに異なる波長を合波する合波器２０５，分波手段２１０，挿入手段２２０，合波器２０５からの合波光と挿入手段２２０からの合波光とを合波する２×１カプラ２０６をそなえて構成される。
【００９４】
分波手段２１０は、分波部として機能するものであり、多重光信号を構成する８種類の波長のうちの任意の５種類の波長の光信号を分波するものであり、図１１に示すように分波手段２１０は１×５カプラ２１１，チューナブルフィルタ２１２，受信機２１３をそなえて構成される。
１×５カプラ２１１は２×１カプラ２０１からの合波光を５個の合波光にパワー分岐するものであり、チューナブルフィルタ２１２は前述の波長設定制御手段５４ａの制御の下で任意の波長信号のみを通過させるものであり、受信機２１３はチューナブルフィルタ２１２からの光信号を電気変換処理等を施して受信するものである。
【００９５】
挿入手段２２０は、挿入部として機能するものであり、分波手段２１０にて分波された波長に対応する５種類の波長を有する伝送用光信号を伝送用光ファイバ３０１Ｐに挿入するものであり、挿入手段２２０は互いに異なる８種類の波長の光を出力するＬＤ光源２２１ａ１〜２２１ａ８，８×１カプラ２２３，合波光を少なくとも５×２＋１個にパワー分岐する合波分岐部としての分波器２２４，波長安定化回路２２５，チューナブルフィルタ２２６，変調器２２７，５×１カプラ２２８，合波光のパワーを増幅する増幅器２２９をそなえて構成される。
【００９６】
８×１カプラ２２３は各ＬＤ光源２２１ａ１〜２２１ａ８からの波長を合波して分波器２２４に送出するものである。分波器２２４は、各光ＡＤＭ装置２００Ｗ，２００Ｐではそれぞれ互いに波長が異なる５種類の光が分波器２１１を介して受信されることから１０個のチューナブルフィルタ２２６へ合波光を送出するものであるとともに、波長安定化回路２２５へも一部の合波光を送出するものでもある。各チューナブルフィルタ２２６は、波長設定制御回路２２６−１（図１１中に示さない。）の下で、分波器で受信された波長の光を通過させるものである。各変調器２２７は、それぞれ直列につながるチューナブルフィルタ２２６からの所定波長の光に変調処理を施すものである。５×１カプラ２２８は、５個の変調器２２７からの互いに異なる光信号を多重して増幅器２２９及び２×１カプラ２０６を介してファイバ３０１へ出力するものである。尚、他の５個の変調器２２７からの光信号は同様に５×１カプラ２２８を介してＰ系の光ファイバ３０１へ出力されるようになっている。以下の記載において、Ｐ系に関わる他の５個の変調器２２７，チューナブルフィルタ２２６，５×１カプラ２２８等を表す場合において、符号「ｐ」を付す場合がある。
【００９７】
ここで、波長設定制御回路２２６−１は、前述した図４に示す波長設定制御回路５４ａと同様に構成され、波長設定制御手段として機能するものである。
また、波長安定化回路２２５もまた、前述した図６に示す波長安定化回路５５と同じように構成されて、分波器２２４から出力された合波分岐光に基づいて、各ＬＤ光源２２１ａ１〜２２１ａ８から出力される光の波長を安定化する波長安定化部として機能するものである。
【００９８】
上述の構成により、本発明の第２実施形態にかかる光ＡＤＭ装置２００Ｗでは、５個のチューナブルフィルタ２１２は、各々分波器２１１を介して送られてくる合波光から所定の波長のみを通過させる。
一方、挿入手段では、分波手段で分波された波長の光を光ファイバ３０１へ送出するために、チューナブルフィルタ２２６が波長設定制御手段２２６−１の制御の下で、分派手段で分波された波長の光を通過させて変調器２２７に送る。変調器２２７は、チューナブルフィルタ２２６からの所定波長の光に変調処理を施し、５×１カプラ２２８は５個の変調器２２７からの光信号を多重して増幅器２２９及び２×１カプラ２０６を介してファイバ３０１へ出力する。
【００９９】
並び、他の５個の変調器２２７ｐは、各々Ｐ系の光ファイバ３０１ｐへ送信するための所定波長の光に変調処理を施し５×１カプラ２２８へ出力する。他の５個の変調器２２７ｐにつながる５×１カプラ２２８ｐは、５個の光信号を多重し、合波光をＰ系の光ファイバ３０１ｐへ出力する。
このように、挿入手段２２０の一組５個のチューナブルフィルタ２２７以外のチューナブルフィルタ２２７ｐからの各々５個の光については、スイッチ３２０等を介して接続された他の光ＡＤＭ装置２００Ｐの挿入手段からの光信号として用いられる。
【０１００】
ここで、他の５個のチューナブルフィルタ２２６ｐを通過した所定波長の光を変調器２２７ｐで変調処理を施さずに（或いは、変調器２２７ｐをそなえずに）５×１カプラ２２８ｐへ出力し、５×１カプラ２２８ｐはこの合波光を光ファイバ３０１ｐ等を介して接続された他の光ＡＤＭ装置２００ｂ〜２００ｄにおけるデータ変調処理を施す際の入力光として用いるように機能することもできる。
【０１０１】
このように、本発明の第２実施形態の光ＡＤＭ装置２００によれば、波長多重信号分配光源を用いて変調器２２７，２２７ｐに入る波長をチューナブルフィルタ２２６，２２６ｐにより任意に選択できるので、備えておくＬＤ光源８個と少なくして構造を簡素にし得るとともに、製造コストの低下、光源の管理を用意にすることができ得る。また、波長安定化回路２２５をそなえることで、安定した光出力を供給することができる。
【０１０２】
さらに、分波器２２４からの合波光を他の光ＡＤＭ装置２００ｂ〜ｄに供給することができるので、リングネットワーク３００の構成をも簡素にでき得る。
（Ｂ１）第２実施形態の第１変形例の説明
本発明の第２実施形態の第１変形例にかかる光ＡＤＭ装置２００Ｗ１は、前述（Ｂ）の光ＡＤＭ装置２００Ｗに比して、予備光源２２１ａ１′〜２２１ａ８′，スイッチ２２３−０，光スイッチ２２３−１，波長安定化回路２２５−１をそなえて構成される点がことなり、その他（符号２２１ａ１〜２２１ａ８，２２３，２２６，２２７，２２７ｐ，２２８，２２８ｐ，２２９，２２９ｐ等参照）の構成は同様である。
【０１０３】
尚、（Ａ）〜（Ｂ）で用いたものと同じものについては、その説明を省略する。
図１２は、本発明の第２実施形態の第１変形例にかかる挿入手段２２０−１を示すブロック図である。
ここで、波長安定化回路２２５−１は、前述の第１実施形態の第３変形例にかかる波長安定化回路５５−１や第２実施形態にかかる波長安定化回路２２５と同じように構成され、波長安定化手段として機能するものであり、制御回路５５ｂはスペクトルアナライザ５５ａからの各ＬＤ光源の波長のデータを基にＬＤ光源からの光の不在を検出するものであるとともに、合波光の中に不在波長を検出した際にその不在の波長の光を出力するＬＤが故障と判断して光スイッチ２２３−１をＷ系からＰ系に切り替えるものである。
【０１０４】
光スイッチ２２３−１は、分波器２２６へ出力する合波光を、制御回路５５ｂの制御の下で、Ｐ系からの合波光を出力するかＷ系からの合波光を出力するかの切りかえを行なうものである。
スイッチ２２３−０は、制御回路５５ｂの制御の下で、稼働するＬＤ光源を現用系のＬＤ光源２２２ａ１〜２２１ａ８から待機系のＬＤ光源２２２ａ１′〜２２１ａ８′に切り換えるものである。
【０１０５】
上述の構成により、本発明の第２実施形態の第１変形例にかかる光ＡＤＭ装置２００Ｗ１では、波長安定化回路２２５−１内のスペクトルアナライザ５５ａが光スイッチ５１ｄで選択されているＷ系のＬＤ光源２２２ａ１〜２２１ａ８が出力した合波光をモニタ（監視）して、そのデータを制御回路５５ｂに送信する。制御回路５５ｂは、合波光中のある波長の光の不在を検出した場合は、その不在の波長の光を出力するＬＤ光源が故障したと判断し得る。
【０１０６】
そして、制御回路５５ｂは、Ｗ系からＰ系に切りかえるように光スイッチ２２３−１を制御する。また、制御回路５５ｂは、制御信号の送信先をＷ系からＰ系に切りかえるようにスイッチ２２３−０を制御する。
制御回路５５ｂの制御の下で、スイッチ２２３−０は制御信号の送信先をＷ系のＬＤ光源２２２ａ１〜２２１ａ８からＰ系のＬＤ光源２２２ａ１′〜２２１ａ８′に切り換え、光スイッチ２２３−１は分波器２２４へ出力する合波光をＷ系からＰ系に切りかえる。Ｐ系のＬＤ光源２２２ａ１′〜２２１ａ８′を駆動する駆動回路（図７中に図示しない）は、スイッチ２２３−０の切りかえ信号を受けると、波長安定化回路２２５−１からの制御を受けて各ＬＤ光源を所定波長の光を出力するように制御する。
【０１０７】
このように、本発明の第２実施形態の第１変形例にかかる光ＡＤＭ装置２００Ｗ１によれば、８個のＬＤ光源とＰ（待機）系の８個のＬＤ光源を用いることで、装置の構成を簡素にしつつ、製造コストも下げることになり得る。
さらに、波長多重伝送においては波長管理が重要であるが、光源が８個のＬＤを用意すれば十分となり、光源数が少ないことで、波長管理や波長制御又波長のモニタ（監視）等の手間を少なくすることができ、管理がし易くなることが期待できる。
【０１０８】
また、波長安定化回路２２５−０をそなえることで光源波長の安定性を十分にすることができ得ることと、予備ＬＤ光源２２２ａ１′〜２２１ａ８′をそなえることで光源自体が断状態となることを防止することができ得る。
なお、図４に示す第１実施形態の第４変形例にかかる光源装置５０ａ４とおなじように、第２実施形態の第１変形例の光ＡＤＭ装置を構成してもよい。上述の第２実施形態の第１変形例の光ＡＤＭ装置２００Ｗ１と同じように、８個のＬＤ光源とＰ（待機）系の８個のＬＤ光源を用いることで、装置の構成を簡素にしつつ、製造コストも下げることになり得るとともに、光源数が少ないことで、波長管理や波長制御又波長のモニタ（監視）等の手間を少なくすることができ、管理がし易くなることが期待できる。
【０１０９】
（Ｃ）第３実施形態の説明
図１３は、本発明の第３実施形態にかかる光源装置４００を示すブロック図であり、この図１３に示すように光源装置４００はＮ（Ｎは自然数）個のＬＤ光源２２１ａ１〜２２１ａＮ，合波器２２３，合波光をＮ個に分波する分波器２２４−１，チューナブルフィルタ２２６，変調器２２７，Ｍ個の光信号を合波するＮ×１カプラ２２８−１，合波光の出力値を増幅する増幅器２２９をそなえて構成される。
【０１１０】
尚、（Ａ）〜（Ｂ）で用いたものと同じものについては、その説明を省略する。
ここで、分波器２２４−１は前述の分波器２２４に相当するものであり、Ｎ×１カプラ２２８−１は前述の５×１カプラ２２８に相当するものである。
上述の構成により、本発明の第３実施形態にかかる光源装置４００では、各チューナブルフィルタ２２６が、波長設定制御手段（図示しない）の制御の下で、任意の波長を通過させ、Ｎ×１カプラ２２８−１が各変調器２２７にて変調されたＭ個の光信号を多重して増幅器２２９を介してファイバへ送出する。
【０１１１】
このように、本発明の第３実施形態にかかる光源装置４００によれば、任意に波長の光をチューナブルフィルタ２２６にて選択でき、電気的に切りかえる場合に比して好適に光源装置として用いることができる。
（Ｄ）その他
（Ａ）〜（Ｃ）で本発明の実施形態に関して詳述してきたが、これらに限定されず本発明の趣旨を逸脱しない範囲で種々変形して実施することができる。
【０１１２】
【発明の効果】
以上詳述したように、本発明の請求項１記載の光クロスコネクト装置によれば、互いに異なるＮ種類の波長の多重光信号をＭ本の光ファイバを介してそれぞれ入力され、各多重光信号についてＮ個の光信号に波長分離するＭ個の波長分離部と、各波長分離部にて波長分離されたＮ個の光信号のそれぞれを電気信号に変換した後に所望の光波長で変調することにより光再生中継を行なうＭ組の光再生中継部と、各光再生中継部にて光再生中継されたＭ組の光信号について相互に詰め替えを行なう詰替部と、詰替部にて詰め替えられたＭ組の光信号について集束する集束部と、Ｍ組の光再生中継部において変調すべき所望の波長を有する入力光を供給する光源装置とをそなえてなる光クロスコネクト装置であって、光源装置が、Ｎ種類の光波長の光を出力しうるＮ個の光源と、Ｎ個の光源からの光を合波することによりＮ種類の光波長成分を有する合波光を生成するとともに、合波光についてＭ×Ｎ個に分岐したものを合波分岐光として出力する合波分岐部と、合波分岐部にて分岐されたＭ×Ｎ個の合波分岐光のうちでＮ個の合波分岐光を分配入力されＮ種類の光波長のうちの任意の波長のみが通過された光をＮ個出力しうるＭ組の波長フィルタ部と、各波長フィルタ部にて通過すべき光波長を互いに異なるように設定する波長設定制御部とをそなえ、Ｍ組の波長フィルタ部からの各々Ｎ個の光を、入力光として供給するように構成されることで、多数の波長多重信号を一組の光源から発生させることができて、光源波長の制御／管理が容易になるとと共に、波長フィルタ部による波長選択の任意があり、光クロスコネクト装置自体の拡張性が高く、また低コストで分配数を増やすことができ得る利点がある。
【０１１３】
また、請求項２記載の光クロスコネクト装置によれば、合波分岐部が、Ｎ個の光源からの光を合波する合波カプラ部と、合波部から出力された合波光についてＭ×Ｎ個に分岐する分岐カプラ部とをそなえて構成されるため、Ｍ×Ｎ個の変調処理にたいしてＮ個の光源をそなえれば十分であることから、多数の波長多重信号を一組の光源から発生させることができて、光源波長の制御／管理が容易になるとと共に、波長フィルタ部による波長選択の任意があり、光クロスコネクト装置自体の拡張性が高く、また低コストで分配数を増やすことができ得る利点がある。
【０１１４】
さらに、請求項３記載の光クロスコネクト装置によれば、光源装置が、Ｎ個の光源のいずれかが故障した場合に故障した光源と同一の波長の光を出力しうる予備光源部を設けていることで、光源自体が故障した場合でも、故障以前と同様のシステムを保つことができる利点もある。
また、請求項４記載の光クロスコネクト装置によれば、各光再生中継部が、各波長分離部にて波長分離されたＮ個の光信号のそれぞれを電気信号に変換するＮ個の光電変換部と、Ｎ個の光電変換部からの電気信号に基づき入力光を変調して詰替部に出力するＮ個の変調部とを設けているので、Ｎ×Ｍ個の変調処理に際して、Ｎ個の光源を用意すれば十分であり、波長は任意に選択することができるので、光クロスコネクト装置に送信されてきたもとの信号光の波長に係わらず、装置全体の波長管理の下で、システムとして最適な送信波長を設定することができる利点がある。
【０１１５】
その上、請求項５記載の光クロスコネクト装置によれば、各光再生中継部が、Ｎ個の変調部のうちのいずれかが故障した場合に、変調部による光中継再生系を断状態とするＮ個のゲートスイッチをそなえるとともに、故障した変調部による光中継再生系と同一の変調を行ないうる予備光再生中継部を設けているので、波長フィルタ部が故障した場合等に、故障以前と同様のシステムを保つことができる利点がある。
【０１１６】
または、請求項６記載の光クロスコネクト装置によれば、Ｎ個の光源が、Ｎ個の半導体レーザかまたはアレーレーザにより構成されていることと相乗して、好適な波長の光を光再生中継部に供給することができる利点があるとともに、多数の波長多重信号を一組の光源から発生させることができて、光源波長の制御／管理が容易になるとと共に、波長フィルタ部による波長選択の任意があり、光クロスコネクト装置自体の拡張性が高く、また低コストで分配数を増やすことができ得る利点もある。
【０１１７】
並びに、請求項７記載の光クロスコネクト装置によれば、合波分岐部から出力された合波分岐光に基づいて、各光源から出力される光の波長を安定化する波長安定化部をそなえることで、安定した波長の光を供給することができ得る利点がある。
一方、請求項８記載の光挿入分岐装置によれば、伝送用光ファイバを介して伝送される互いに異なるＮ種類の波長の多重光信号について、多重光信号を構成するＮ種類の波長のうちの任意のＰ種類の波長の光信号を分波する分波部と、分波部にて分波された波長に対応するＰ′種類の波長を有する伝送用光信号を伝送用光ファイバに挿入する挿入部をそなえてなる光挿入分岐装置であって、挿入部が、Ｎ種類の光波長の光を出力しうるＮ個の光源と、Ｎ個の光源からの光を合波することによりＮ種類の光波長成分を有する合波光を生成するとともに合波光についてＭ×Ｎ個に分岐したものを合波分岐光として出力する合波分岐部と、合波分岐部にて分岐されたＭ×Ｎ個の合波分岐光のうちでＮ個の合波分岐光を分配入力されＮ種類の光波長のうちの任意の波長のみが通過されたＮ個の光を出力しうるＭ組の波長フィルタ部と、各波長フィルタ部にて通過すべき光波長を、互いに異なるように設定する波長設定制御部と、Ｍ組の波長フィルタ部のいずれか一組の波長フィルタ部からのＮ個の光を入力光としてデータ変調処理を施す変調部とをそなえる一方、挿入部の一組の波長フィルタ部以外の波長フィルタ部からの各々Ｎ個の光については、伝送用光ファイバを介して接続された他の光挿入分岐装置の挿入部におけるデータ変調処理を施す際の入力光として用いるように構成されているので、波長多重信号分配光源を用いて、任意にドロップ（Drop) した光の波長と同じ波長の光を波長フィルタ部で選択できる利点がある。
【０１１８】
他方、請求項９記載の光源装置は、所望の波長を有する入力光を供給する光源装置であって、Ｎ種類の光波長の光を出力しうるＮ個の光源と、Ｎ個の光源からの光を合波することによりＮ種類の光波長成分を有する合波光を生成するとともに、合波光について少なくともＮ個に分岐したものを合波分岐光として出力する合波分岐部と、合波分岐部にて分岐されたＮ個の合波分岐光を入力されＮ種類の光波長のうちのいずれか一つの光波長のみを通過しうるＮ個の波長フィルタと、Ｎ個の波長フィルタにて通過すべき光波長を、任意の組み合わせで互いに異なるように設定する波長設定制御部とをそなえて構成されるので、任意に波長の光を波長フィルタにて選択でき、電気的に切りかえる場合に比して好適に光源装置として用いることができる利点がある。
【図面の簡単な説明】
【図１】本発明の光クロスコネクト装置を示す原理ブロック図である。
【図２】本発明の第１実施形態にかかる光クロスコネクト装置を示すブロック図である。
【図３】本発明の第１実施形態にかかる光源装置を示すブロック図である。
【図４】本発明の第１実施形態にかかる波長設定制御手段を示すブロック図である。
【図５】本発明の第１実施形態の第１変形例にかかる光源装置を示すブロック図である。
【図６】本発明の第１実施形態の第２変形例にかかる波長安定化回路を示すブロック図である。
【図７】本発明の第１実施形態の第３変形例にかかる光源装置を示すブロック図である。
【図８】本発明の第１実施形態の第４変形例にかかる光源装置を示すブロック図である。
【図９】本発明の第１実施形態の第５変形例にかかる光源装置を示すブロック図である。
【図１０】本発明の第２実施形態にかかる光ＡＤＭ装置が適用されるリングネットワークを示すブロック図である。
【図１１】本発明の第２実施形態にかかる光ＡＤＭ装置を示すブロック図である。
【図１２】本発明の第２実施形態の第１変形例にかかる挿入手段を示すブロック図である。
【図１３】本発明の第３実施形態にかかる光源装置を示すブロック図である。
【図１４】従来案出されている光クロスコネクトノードを示す図である。
【図１５】従来案出されている光クロスコネクト装置を示すブロック図である。
【図１６】従来案出されているＯＲ，ＯＳを示すブロック図である。
【図１７】従来案出されているＯＲ，ＯＳを示すブロック図である。
【図１８】従来案出されているＡＤＭ（Add-Drop Multiplexer）機能を備えたＷＤＭ方式のネットワークを示す図である。
【図１９】従来案出されているＡＤＭ（Add-Drop Multiplexer）機能を備えたＷＤＭ方式のネットワークを示す図である。
【図２０】従来案出されているＡＤＭ（Add-Drop Multiplexer）装置を示すブロック図である。
【図２１】従来案出されているＡＤＭ（Add-Drop Multiplexer）装置を示すブロック図である。
【符号の説明】
０−１〜０−Ｍ（Ｍは自然数），０ａ−１〜０ａ−１６，０ｂ−１〜０ｂ−１６，０′−１〜０′−１６，３０１Ｗ，３０１Ｐ  光ファイバ
０ｃ−１〜０ｃ−１６，０ｃ′−１〜０ｃ′−１６，０ｄ−１〜０ｄ−１６，０ｄ′−１〜０ｄ′−１６，５２ａ１〜５２ａ８，５２ａ′３，５３ａ′１〜５３ａ′１２８，５３ｃ１〜５３ｃ１２８，２２９，２２３′−１  増幅器
１０−１〜１０−Ｍ  波長分離部
１０ａ−１〜１０ａ−１６，１０ａ′−１〜１０ａ′−１６，２０２，２１０分波器（WDM DEMUX)
２０−１〜２０−Ｍ  光再生中継部
２１ａ〜２８ａ，２１ａ′  ＯＲ
２１ａ′−１  ＰＤ（フォトダイオード）
２１ｂ〜２８ｂ，２１ｂ′  ＯＳ
２１ｂ′−３  変調器
２１ｂ′−４，２２１′  波長可変ＬＤ
３０  詰替部
３０ａ−１〜３０ａ−１６，３０ａ′−１〜３０ａ′−１６  ８×１６ＤＣスイッチ
４０  集束部
４０ａ−１〜４０ａ−１６，４０ａ′−１〜４０ａ′−１６  １６×１カプラ５０，５０ａ，５０ａ１，５０ａ２，５０ａ３，５０ａ４，５０ａ５  光源装置
５１−１〜５１−Ｎ，２２１ａ１〜２２１ａＮ（Ｎは自然数），２１ｂ′−１
光源（ＬＤ光源）
５１ａ  ＬＤ  ａｒｒａｙ
５１ｃ  スイッチ
５１ｄ，２２３−１，２１ｂ′−２  光スイッチ
５２  合波分岐部
５２ａ０  ８×８カプラ
５２ａ′１  ８×１カプラ
５２ａ′２  １×１２８カプラ
５２ｂ１〜５２ｂ８  １×１６カプラ
５３−１〜５３−Ｍ  波長フィルタ部
５３ａ１〜５３ａ１２８，５３ａ′１〜５３ａ′，１２８，２１２，２２６，２２６ｐ  チューナブルフィルタ
５４  波長設定制御部
５４ａ  波長設定制御手段
５４ａ０  制御部
５４ａ０−１  ＣＰＵ
５４ａ１  電圧制御発振器（ＶＣＯ）
５４ａ２，３２０，２２３−０，２２３′  スイッチ
５５，５５−１，２２５−１，４０４  波長安定化回路
５５ａ  スペクトルアナライザ
５５ｂ  制御回路
５５ｃ１〜５ｃ８  駆動回路
１００ａ，１００ａ１，１００ａ２，１００ａ３，１００ａ４，１００ａ５  光クロスコネクト装置
２００Ｗ，２００Ｐ  光ＡＤＭ装置
２０１  １×２カプラ
２０３  ゲートスイッチ
２０４  アッテネータ
２０５，２２３  合波器
２０６  ２×１カプラ
２１０  分波手段
２２０  挿入手段
２１３  受信機
２２７，２２７ｐ，２２７′  変調器
２２８  ５×１カプラ
３００，３００′  リングネットワーク
３１０ａ〜３１０ｄ  ノード
４００  光源装置
【図１】
0003930952.tif 000002
【図２】
0003930952.tif 000003
【図３】
0003930952.tif 000004
【図４】
0003930952.tif 000005
【図５】
0003930952.tif 000006
【図６】
0003930952.tif 000007
【図７】
0003930952.tif 000008
【図８】
0003930952.tif 000009
【図９】
0003930952.tif 000010
【図１０】
0003930952.tif 000011
【図１１】
0003930952.tif 000012
【図１２】
0003930952.tif 000013
【図１３】
0003930952.tif 000014
【図１４】
0003930952.tif 000015
【図１５】
0003930952.tif 000016
【図１６】
0003930952.tif 000017
【図１７】
0003930952.tif 000018
【図１８】
0003930952.tif 000019
【図１９】
0003930952.tif 000020
【図２０】
0003930952.tif 000021
【図２１】
0003930952.tif 000022